【手続補正書】
【提出日】平成20年6月26日(2008.6.26)
【手続補正１】
【補正対象書類名】明細書
【補正対象項目名】発明の名称
【補正方法】変更
【補正の内容】
【発明の名称】撮影装置
【手続補正２】
【補正対象書類名】明細書
【補正対象項目名】特許請求の範囲
【補正方法】変更
【補正の内容】
【特許請求の範囲】
【請求項１】
被写体の画像データを生成する撮影手段と、
前記撮影手段の焦点距離に基づいて指向範囲を変更可能な送信手段と、
を備えた、撮影装置。
【請求項２】
被写体の画像データを生成する撮影手段と、
前記撮影手段の画角内に存する通信端末を特定する特定手段と、
前記特定された通信端末に前記生成された画像データまたは前記生成された画像データに基づく画像データを送信する送信手段と、
を備えた、撮影装置。
【請求項３】
前記通信端末の標識情報を記憶する記憶手段を備え、
前記特定手段は、前記生成された画像データに前記標識情報が含まれるか否かに応じて前記通信端末を特定する、請求項２に記載の撮影装置。
【手続補正３】
【補正対象書類名】明細書
【補正対象項目名】０００１
【補正方法】変更
【補正の内容】
【０００１】
【発明の属する技術分野】
本発明は、たとえば、観光地などでの集合写真の被撮影者への配布を容易に行うための撮影装置に関する。
【手続補正４】
【補正対象書類名】明細書
【補正対象項目名】０００５
【補正方法】変更
【補正の内容】
【０００５】
本発明は、上記従来のこのような課題を考慮し、被撮影者への写真の配布を容易に行うことができる撮影装置を提供することを目的とするものである。
【手続補正５】
【補正対象書類名】明細書
【補正対象項目名】０００６
【補正方法】変更
【補正の内容】
【０００６】
【課題を解決するための手段】  第一の本発明は、被写体の画像データを生成する撮影手段と、
前記撮影手段の焦点距離に基づいて指向範囲を変更可能な送信手段と、
を備えた、撮影装置である。
第二の本発明は、被写体の画像データを生成する撮影手段と、
前記撮影手段の画角内に存する通信端末を特定する特定手段と、
前記特定された通信端末に前記生成された画像データまたは前記生成された画像データに基づく画像データを送信する送信手段と、
を備えた、撮影装置である。
第三の本発明は、前記通信端末の標識情報を記憶する記憶手段を備え、
前記特定手段は、前記生成された画像データに前記標識情報が含まれるか否かに応じて前記通信端末を特定する、第二の本発明の撮影装置である。
なお、本発明に関連する第一〜第十八の発明を以下に記載する。
本発明に関連する第一の発明は、撮影によって得られるデータを被撮影者に送信するためのデータ送信システムであって、
前記被撮影者によって携帯され、前記送信されてくる撮影によって得られるデータを受信するための携帯端末装置と、
前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段とを有する撮影装置とを備えたデータ送信システムである。
【手続補正６】
【補正対象書類名】明細書
【補正対象項目名】０００７
【補正方法】変更
【補正の内容】
【０００７】
本発明に関連する第二の発明は、前記撮影装置は、前記撮影の範囲を検出するための検出手段を有する本発明に関連する第一の発明のデータ送信システムである。
【手続補正７】
【補正対象書類名】明細書
【補正対象項目名】０００８
【補正方法】変更
【補正の内容】
【０００８】
本発明に関連する第三の発明は、前記撮影手段は、撮像素子とレンズとを有し、
前記撮影の範囲の検出は、前記撮像素子の幅の１／２の長さｈと前記レンズの焦点距離ｆとを利用して算出されるカメラアングル
【手続補正８】
【補正対象書類名】明細書
【補正対象項目名】０００９
【補正方法】変更
【補正の内容】
【０００９】
【数１】
θ＝ｔａｎ-1（ｈ／ｆ）
を利用して行われる本発明に関連する第二の発明のデータ送信システムである。
【手続補正９】
【補正対象書類名】明細書
【補正対象項目名】００１０
【補正方法】変更
【補正の内容】
【００１０】
本発明に関連する第四の発明は、前記撮影装置は、無線送信の指向性を調節可能なアンテナを有し、
前記携帯端末装置の特定は、前記検出される撮影の範囲内に前記アンテナから無線送信される呼びかけに対する前記携帯端末装置側からの応答を測定することによって行われる本発明に関連する第二の発明のデータ送信システムである。
【手続補正１０】
【補正対象書類名】明細書
【補正対象項目名】００１１
【補正方法】変更
【補正の内容】
【００１１】
本発明に関連する第五の発明は、前記携帯端末装置の特定は、前記撮影の結果を利用して、前記被撮影者の顔面または前記被撮影者の保持する所定の標識の何れかをパターン解析することにより行われる本発明に関連する第一の発明のデータ送信システムである。
【手続補正１１】
【補正対象書類名】明細書
【補正対象項目名】００１２
【補正方法】変更
【補正の内容】
【００１２】
本発明に関連する第六の発明は、前記アンテナは、（１）前記検出される撮影の範囲のパターンに応じて使用するものを選択できるように複数個設けられている、または（２）前記無線送信の指向性を左右する面形状を調節するためのメカニズムを有する、または（３）前記無線送信の指向性を調節するために走査される本発明に関連する第四の発明のデータ送信システムである。
【手続補正１２】
【補正対象書類名】明細書
【補正対象項目名】００１３
【補正方法】変更
【補正の内容】
【００１３】
本発明に関連する第七の発明は、前記アンテナは、Ｂｌｕｅｔｏｏｔｈ規格に対応している本発明に関連する第六の発明のデータ送信システムである。
【手続補正１３】
【補正対象書類名】明細書
【補正対象項目名】００１４
【補正方法】変更
【補正の内容】
【００１４】
本発明に関連する第八の発明は、前記アンテナは、前記特定された携帯端末装置に対する前記撮影によって得られるデータの無線送信にも利用可能である本発明に関連する第四の発明のデータ送信システムである。
【手続補正１４】
【補正対象書類名】明細書
【補正対象項目名】００１５
【補正方法】変更
【補正の内容】
【００１５】
本発明に関連する第九の発明は、前記撮影装置は、前記撮影によって得られるデータの送信を希望する携帯端末装置を登録しておくための登録テーブルを有し、
前記撮影によって得られるデータの送信は、前記特定された携帯端末装置の内の前記登録テーブルに登録されている携帯端末装置に対して行われる本発明に関連する第一の発明のデータ送信システムである。
【手続補正１５】
【補正対象書類名】明細書
【補正対象項目名】００１６
【補正方法】変更
【補正の内容】
【００１６】
本発明に関連する第十の発明は、前記携帯端末装置に送信されてくる撮影によって得られるデータとは、前記撮影によって得られる正規の撮影イメージの簡易データであり、
前記撮影によって得られる正規の撮影イメージを蓄積するための撮影イメージ蓄積手段を備え、
前記携帯端末装置は、前記送付される簡易データを表示するための表示手段と、前記表示された簡易データを選択し、その選択された簡易データに対応する正規の撮影イメージの配布を要求するための要求手段とを有する本発明に関連する第九の発明のデータ送信システムである。
【手続補正１６】
【補正対象書類名】明細書
【補正対象項目名】００１７
【補正方法】変更
【補正の内容】
【００１７】
本発明に関連する第十一の発明は、前記撮影イメージ蓄積手段とは、所定のネットワークに接続された、前記正規の撮影イメージを電子データとして蓄積するためのサーバであって、
前記配布は、前記所定のネットワークを介して行われる本発明に関連する第十の発明のデータ送信システムである。
【手続補正１７】
【補正対象書類名】明細書
【補正対象項目名】００１８
【補正方法】変更
【補正の内容】
【００１８】
本発明に関連する第十二の発明は、撮影によって得られるデータを所定の携帯端末装置を携帯する被撮影者に送信するための撮影装置であって、
前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段とを備えた撮影装置である。
【手続補正１８】
【補正対象書類名】明細書
【補正対象項目名】００１９
【補正方法】変更
【補正の内容】
【００１９】
本発明に関連する第十三の発明は、被撮影者によって携帯され、撮影装置側から送信されてくる撮影によって得られるデータを受信するための携帯端末装置であって、
前記撮影装置は、前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段とを有する携帯端末装置である。
【手続補正１９】
【補正対象書類名】明細書
【補正対象項目名】００２０
【補正方法】変更
【補正の内容】
【００２０】
本発明に関連する第十四の発明は、撮影によって得られるデータを所定の携帯端末装置を携帯する被撮影者に送信するためのデータ送信方法であって、
前記撮影の範囲内に実質上存する携帯端末装置を特定するステップと、
前記特定された携帯端末装置に対して前記撮影によって得られるデータを送信するステップとを備えたデータ送信方法である。
【手続補正２０】
【補正対象書類名】明細書
【補正対象項目名】００２１
【補正方法】変更
【補正の内容】
【００２１】
本発明に関連する第十五の発明は、本発明に関連する第一の発明のデータ送信システムの、前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段との全部または一部としてコンピュータを機能させるためのプログラムである。
【手続補正２１】
【補正対象書類名】明細書
【補正対象項目名】００２２
【補正方法】変更
【補正の内容】
【００２２】
本発明に関連する第十六の発明は、本発明に関連する第十四の発明のデータ送信方法の、前記撮影の範囲内に実質上存する携帯端末装置を特定するステップと、前記特定された携帯端末装置に対して前記撮影によって得られるデータを送信するステップとの全部または一部をコンピュータに実行させるためのプログラムである。
【手続補正２２】
【補正対象書類名】明細書
【補正対象項目名】００２３
【補正方法】変更
【補正の内容】
【００２３】
本発明に関連する第十七の発明は、本発明に関連する第一の発明のデータ送信システムの、前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段との全部または一部としてコンピュータを機能させるためのプログラムを担持した媒体であって、コンピュータにより処理可能なことを特徴とする媒体である。
【手続補正２３】
【補正対象書類名】明細書
【補正対象項目名】００２４
【補正方法】変更
【補正の内容】
【００２４】
本発明に関連する第十八の発明は、本発明に関連する第十四の発明のデータ送信方法の、前記撮影の範囲内に実質上存する携帯端末装置を特定するステップと、前記特定された携帯端末装置に対して前記撮影によって得られるデータを送信するステップとの全部または一部をコンピュータに実行させるためのプログラムを担持した媒体であって、コンピュータにより処理可能なことを特徴とする媒体である。
【手続補正２４】
【補正対象書類名】明細書
【補正対象項目名】００２８
【補正方法】変更
【補正の内容】
【００２８】
なお、本実施の形態の被撮影者に映像を送信するシステムは本発明に関連する発明のデータ送信システムに対応し、送信機能付撮影装置２０は本発明または本発明に関連する発明の撮影装置に対応し、携帯電話１０Ｙ１（後述の携帯電話１０Ｙ２〜１０Ｙ４）は本発明に関連する発明の携帯端末装置に対応する。また、本実施の形態のサムネイルデータは本発明に関連する発明の撮影によって得られるデータ（正規の撮影イメージの簡易データ）に対応し、本実施の形態の電子写真は本発明に関連する発明の正規の撮影イメージに対応する。
【手続補正２５】
【補正対象書類名】明細書
【補正対象項目名】００３０
【補正方法】変更
【補正の内容】
【００３０】
図２に示されているように、携帯電話１０Ｙ１は、（１）送信機能付撮影装置２０（図１参照）側から無線送信されてくる呼びかけを受信したり、（２）その呼びかけに対する応答を無線送信したり、（３）送信機能付撮影装置２０から後述の登録テーブルＴ（図９参照）に基づいて送付されてくるサムネイルデータを受信したりするための、Ｂｌｕｅｔｏｏｔｈ規格に対応したアンテナ１１と、受信されたサムネイルデータを表示するためのディスプレイ１３と、表示されたサムネイルデータを選択し、その選択されたサムネイルデータに対応する電子写真の配布を蓄積サーバ３０に要求するためのキー部１２と、これら各手段の動作を統括制御するための演算部１４とを備えている。
【手続補正２６】
【補正対象書類名】明細書
【補正対象項目名】００３９
【補正方法】変更
【補正の内容】
【００３９】
つぎに、本実施の形態の被撮影者に映像を送信するシステムの動作フローチャートである図１１を主として参照しながら、本実施の形態における被撮影者に映像を送信するシステムの動作について説明する。なお、本実施の形態における被撮影者に映像を送信するシステムの動作について説明しながら、本発明に関連する発明のデータ送信方法の一実施例についても説明する。
【手続補正２７】
【補正対象書類名】明細書
【補正対象項目名】００４４
【補正方法】変更
【補正の内容】
【００４４】
ステップ３；携帯電話１０Ｙ１のアンテナ１１（図２参照）は、送信機能付撮影装置２０から前述のようにして無線送信されてくる呼びかけを受信し、演算部１４（図２参照）は、その受信された呼びかけに対する送信機能付撮影装置２０への応答をアンテナ部２２に無線送信させる。
【手続補正２８】
【補正対象書類名】明細書
【補正対象項目名】００５０
【補正方法】変更
【補正の内容】
【００５０】
そして、演算部１４（図２参照）は、その選択されたサムネイルデータに対応する電子写真Ｐ（図１０参照）の、蓄積サーバ３０側に対する配布要求をアンテナ１１に無線送信させる（無線送信された配布要求は、送信機能付撮影装置２０から蓄積サーバ３０側へ電子データとして無線送信された前述の電子写真Ｐの場合と同様に、無線通信中継基地局（図示省略）で中継され、インターネット１（図４参照）を介して蓄積サーバ３０に送信される）。
【手続補正２９】
【補正対象書類名】明細書
【補正対象項目名】００５６
【補正方法】変更
【補正の内容】
【００５６】
なお、本発明または本発明に関連する発明の撮影手段は、上述した本実施の形態においては、撮像部２１を含む手段に対応するが、これに限らず、要するに、被撮影者の撮影を行うための手段であればよい。
【手続補正３０】
【補正対象書類名】明細書
【補正対象項目名】００５７
【補正方法】変更
【補正の内容】
【００５７】
また、本発明または本発明に関連する発明の特定手段は、上述した本実施の形態においては、アンテナ部２２および演算部２３を含む手段に対応するが、これに限らず、要するに、撮影の範囲内に実質上存する携帯端末装置を特定するための手段であればよい。
【手続補正３１】
【補正対象書類名】明細書
【補正対象項目名】００５８
【補正方法】変更
【補正の内容】
【００５８】
また、本発明または本発明に関連する発明の送信手段は、上述した本実施の形態においては、アンテナ部２２を含む手段に対応するが、これに限らず、要するに、特定された携帯端末装置に対して撮影によって得られるデータを送信するための手段であればよい。
【手続補正３２】
【補正対象書類名】明細書
【補正対象項目名】００５９
【補正方法】変更
【補正の内容】
【００５９】
また、本発明に関連する発明の検出手段は、上述した本実施の形態においては、演算部２３を含む手段に対応するが、これに限らず、要するに、撮影の範囲を検出するための手段であればよい。
【手続補正３３】
【補正対象書類名】明細書
【補正対象項目名】００６０
【補正方法】変更
【補正の内容】
【００６０】
また、本発明に関連する発明のアンテナは、上述した本実施の形態においては、八木アンテナＡを含む手段に対応するが、これに限らず、たとえば、（１）指向性の狭いアンテナを並列して多数配設しておき、撮影範囲が広いときには全てのアンテナを使用し、撮影範囲が狭いときには中央の数個のみを使用する手段であってもよいし、（２）無線送信の指向性を左右する、無線送受信を行うための椀形部の面形状の曲率を自在に調節するためのメカニズムを有する手段であってもよいし、（３）指向性の狭いアンテナを回転させ、撮影範囲の一方の端部から他方の端部まで走査する手段であってもよく、要するに、無線送信の指向性を調節可能な手段であればよい。
【手続補正３４】
【補正対象書類名】明細書
【補正対象項目名】００６１
【補正方法】変更
【補正の内容】
【００６１】
なお、アンテナは、上述した本実施の形態においては、特定された携帯電話に対するサムネイルデータの無線送信にも利用可能であったが、これに限らず、たとえば、携帯端末装置の特定専用であってもよい。
【手続補正３５】
【補正対象書類名】明細書
【補正対象項目名】００６２
【補正方法】変更
【補正の内容】
【００６２】
また、携帯端末装置の特定は、上述した本実施の形態においては、検出される撮影範囲Ｄ内にアンテナ部２２から無線送信される呼びかけに対する携帯電話側からの応答を測定することによって行われた。しかし、これに限らず、携帯端末装置の特定は、たとえば、被撮影者の顔面や被撮影者の保持する所定の標識（たとえば、バーコードや名札など）と被撮影者の携帯する携帯電話のアドレスとの対応表をあらかじめ用意しておき、撮影の結果として得られる画像データを利用して、これら被撮影者の顔面や被撮影者の保持する所定の標識をパターン認識・解析することにより行われてもよい。
【手続補正３６】
【補正対象書類名】明細書
【補正対象項目名】００６３
【補正方法】変更
【補正の内容】
【００６３】
また、撮影によって得られるデータの送信は、上述した本実施の形態においては、特定された携帯電話の内の登録テーブルＴに登録されている携帯電話に対して行われたが、これに限らず、たとえば、特定された全ての携帯電話に対して行われてもよい。もちろん、たとえば、特定されなかった携帯電話（たとえば、携帯電話１０Ｙ２）が送信機能付撮影装置２０に要求を行うことによりサムネイルデータを送付してもらう機能が実装されていてもよい。
【手続補正３７】
【補正対象書類名】明細書
【補正対象項目名】００６４
【補正方法】変更
【補正の内容】
【００６４】
また、正規の撮影イメージの配布は、上述した本実施の形態においては、携帯電話に対して行われたが、これに限らず、たとえば、（１）被撮影者によって指定されたアカウントに対して行われてもよいし、（２）撮影者によって指定されたファイルサーバに対して行われてもよいし、（３）ＣＤ−ＲＯＭなどのリムーバブルメディアを利用して郵送で行われてもよい。
【手続補正３８】
【補正対象書類名】明細書
【補正対象項目名】００６５
【補正方法】変更
【補正の内容】
【００６５】
また、本発明に関連する発明の撮影イメージ蓄積手段は、上述した本実施の形態においては、蓄積部３２を含む手段に対応するが、これに限らず、要するに、撮影によって得られる正規の撮影イメージを蓄積するための手段であればよい。
【手続補正３９】
【補正対象書類名】明細書
【補正対象項目名】００６６
【補正方法】変更
【補正の内容】
【００６６】
また、正規の撮影イメージの撮影イメージ蓄積手段への蓄積は、上述した本実施の形態においては、無線通信中継基地局を中継する無線送信を利用して行われたが、これに限らず、たとえば、撮影装置のスティックメモリなどに一旦記憶されたデータをＰＣに転送した後に公衆回線を経由するアップロードを利用して行われてもよい。
【手続補正４０】
【補正対象書類名】明細書
【補正対象項目名】００６７
【補正方法】変更
【補正の内容】
【００６７】
また、本発明に関連する発明の表示手段は、上述した本実施の形態においては、ディスプレイ１３を含む手段に対応するが、これに限らず、要するに、送付される簡易データを表示するための手段であればよい。
【手続補正４１】
【補正対象書類名】明細書
【補正対象項目名】００６８
【補正方法】変更
【補正の内容】
【００６８】
また、本発明に関連する発明の要求手段は、上述した本実施の形態においては、キー部１２を含む手段に対応するが、これに限らず、要するに、表示された簡易データを選択し、その選択された簡易データに対応する正規の撮影イメージの配布を要求するための手段であればよい。
【手続補正４２】
【補正対象書類名】明細書
【補正対象項目名】００６９
【補正方法】変更
【補正の内容】
【００６９】
このように、本発明に関連する発明のデータ送信システムは、要するに、撮影によって得られるデータを被撮影者に送信するためのデータ送信システムであって、被撮影者によって携帯され、送信されてくる撮影によって得られるデータを受信するための携帯端末装置と、被撮影者の撮影を行うための撮影手段と撮影の範囲内に実質上存する携帯端末装置を特定するための特定手段と特定された携帯端末装置に対して撮影によって得られるデータを送信するための送信手段とを有する撮影装置とを備えたデータ送信システムである。
【手続補正４３】
【補正対象書類名】明細書
【補正対象項目名】００７０
【補正方法】変更
【補正の内容】
【００７０】
なお、上述した本発明または本発明に関連する発明のデータ送信システム、撮影装置、および携帯端末装置の全部または一部の手段（または、装置、素子、回路、部など）の機能をコンピュータにより実行させるためのプログラムであって、コンピュータと協働して動作するプログラムは、本発明に関連する発明である。もちろん、コンピュータは、ＣＰＵなどの純然たるハードウェアに限らず、ファームウェアやＯＳ、さらに周辺機器を含むものであっても良い。
【手続補正４４】
【補正対象書類名】明細書
【補正対象項目名】００７１
【補正方法】変更
【補正の内容】
【００７１】
また、上述した本発明に関連する発明のデータ送信方法の全部または一部のステップ（または、工程、動作、作用など）の動作をコンピュータにより実行させるためのプログラムであって、コンピュータと協働して動作するプログラムは、本発明に関連する発明である。
【手続補正４５】
【補正対象書類名】明細書
【補正対象項目名】００７２
【補正方法】変更
【補正の内容】
【００７２】
なお、本発明または本発明に関連する発明の一部の手段（または、装置、素子、回路、部など）、本発明に関連する発明の一部のステップ（または、工程、動作、作用など）は、それらの複数の手段またはステップの内の幾つかの手段またはステップを意味する、あるいは一つの手段またはステップの内の一部の機能または一部の動作を意味するものである。
【手続補正４６】
【補正対象書類名】明細書
【補正対象項目名】００７３
【補正方法】変更
【補正の内容】
【００７３】
また、本発明または本発明に関連する発明の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【手続補正４７】
【補正対象書類名】明細書
【補正対象項目名】００７４
【補正方法】変更
【補正の内容】
【００７４】
また、本発明に関連する発明のプログラムを記録した、コンピュータに読みとり可能な記録媒体も本発明に関連する発明に含まれる。また、本発明に関連する発明のプログラムの一利用形態は、コンピュータにより読み取り可能な記録媒体に記録され、コンピュータと協働して動作する態様であっても良い。また、本発明に関連する発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【手続補正４８】
【補正対象書類名】明細書
【補正対象項目名】００７５
【補正方法】変更
【補正の内容】
【００７５】
なお、本発明または本発明に関連する発明の構成は、ソフトウェア的に実現しても良いし、ハードウェア的に実現しても良い。
【手続補正４９】
【補正対象書類名】明細書
【補正対象項目名】００７６
【補正方法】変更
【補正の内容】
【００７６】
また、上述した本発明または本発明に関連する発明のデータ送信システム、撮影装置、および携帯端末装置の全部または一部の手段の全部または一部の機能をコンピュータにより実行させるためのプログラムを担持した媒体であり、コンピュータにより読み取り可能かつ読み取られた前記プログラムが前記コンピュータと協動して前記機能を実行する媒体は、本発明に関連する発明である。
【手続補正５０】
【補正対象書類名】明細書
【補正対象項目名】００７７
【補正方法】変更
【補正の内容】
【００７７】
また、上述した本発明に関連する発明のデータ送信方法の全部または一部のステップの全部または一部の動作をコンピュータにより実行させるためのプログラムを担持した媒体であり、コンピュータにより読み取り可能かつ読み取られた前記プログラムが前記コンピュータと協動して前記動作を実行する媒体は、本発明に関連する発明である。